(57)【特許請求の範囲】
【請求項１】
傷の生体内殺菌に適した温度を有する低温プラズマを発生させるためのプラズマ源（１）において、
ガス流を搬送する導管（３，４）を備え、
該導管（３，４）は、ノズル（３）内に前記ガス流を導入するために該ノズル（３）の上流に配置された吸気口を備え、該ノズル（３）は電離箱（１０）の上流に配置され、
該導管（３，４）は、更に、前記電離箱（１０）の下流に配置されたコンジットパイプ（４）と、前記コンジットパイプ（４）の下流にある排出口（８）とを備え、
当該プラズマ源（１）は、更に、前記ノズル（３）及び前記コンジットパイプ（４）を収容し、前記ノズル（３）及び前記コンジットパイプ（４）の間における前記電離箱(１０)を画定するハウジングを備え、
前記ノズル（３）と前記コンジットパイプ（４）との間に間隙があり、該間隙内に前記ガス流を円滑に流入させており、
前記ノズル（３）及び前記コンジットパイプ（４）は、前記導管（３，４）によって前記ガス流が搬送されるとき、前記電離箱（１０）の内部の圧力を減圧するように配置され、
当該プラズマ源（１）は、更に、当該プラズマ源における電源であるプラズマ発生器（１１）を備え、該プラズマ発生器（１１）は、前記ノズル（３）及び前記コンジットパイプ（４）の間における前記電離箱（１０）の内部で前記低温プラズマを発生するよう構成されており、
前記排出口は、前記低温プラズマを対象表面に印加するために配置される、ことを特徴とするプラズマ源（１）。  
【請求項２】
前記ノズル（３）は、ベンチュリノズル又はラバルノズルである、ことを特徴とする請求項１に記載のプラズマ源（１）。
【請求項３】
ａ）前記ノズル（３）の上流にある前記導管（３，４）内のガス流が亜音速（M＜１）及び／又は、
ｂ）前記ノズル（３）の下流にある前記導管（３，４）内のガス流が超音速（M＞１）及び、
ｃ）前記ノズル（３）内のガス流がほぼ音速（Ｍ＝１）である、ことを特徴とする請求項１又は２に記載のプラズマ源（１）。
【請求項４】
前記電離箱（１０）は環状であり、前記導管（３，４）を包囲する、ことを特徴とする請求項１乃至３のいずれか１項に記載のプラズマ源（１）。
【請求項５】
第１電極及び第２電極は、前記電離箱（１０）内に前記低温プラズマを発生させるために設けられている、ことを特徴とする請求項１乃至４のいずれか１項に記載のプラズマ源（１）。
【請求項６】
ａ）前記第１電極は前記ノズル（３）によって形成されており、
ｂ）前記第２電極は前記コンジットパイプ（４）の円錐部によって形成され、該円錐部は流れ方向に先細であり該ノズル（３）を包囲している、
ことを特徴とする請求項５に記載のプラズマ源（１）。
【請求項７】
前記第１電極（３７）及び前記第２電極（３８）の双方は前記電離箱（１０）内に配設される、ことを特徴とする請求項５に記載のプラズマ源（１）。
【請求項８】
前記ハウジングは、プラズマ源（１）のマイクロ波照射を低減するように、導電性材料からなる、
ことを特徴とする請求項１乃至７のいずれか１項に記載のプラズマ源（１）。
【請求項９】
前記第１電極（３７）及び前記第２電極（３８）は、前記ノズル（３）及び前記コンジットパイプ（４）の間にガス流に対して放射状に配置されている、ことを特徴とする請求項５又は請求項７に記載のプラズマ源（１）。
【請求項１０】
前記電離箱（１０）は、少なくとも部分的に透明であり、該電離箱（１０）内低温プラズマ発生の目視管理を可能にする壁を備える、ことを特徴とする請求項１乃至９のいずれか１項に記載のプラズマ源（１）。
【請求項１１】
前記電離箱（１０）は、可視光線を透過すると共に紫外線を非透過にする材料からなる窓を備える、ことを特徴とする請求項１０に記載のプラズマ源（１）。
【請求項１２】
前記電離箱（１０）は、真空計と連結するための連結部（１２）を備える、ことを特徴とする請求項１乃至１１のいずれか１項に記載のプラズマ源（１）。
【請求項１３】
前記電離箱（１０）内、及び／又は、前記導管（３，４）内の該電離箱（１０）下流に磁界を発生させる磁石（２８）を有しており、該磁界は低温プラズマ生成を促進させる、ことを特徴とする請求項１乃至１２のいずれか１項に記載のプラズマ源（１）。
【請求項１４】
前記電離箱（１０）内で発生させた真空は、５ｍｂａｒから９００ｍｂａｒの範囲である、ことを特徴とする請求項１乃至１３のいずれか１項に記載のプラズマ源（１）。
【請求項１５】
前記導管（３，４）内に導入されたガス流は、
ａ）周囲空気又は、
ｂ）窒素又は、
ｃ）希ガス、特にアルゴン又は、
ｄ）添加物、特に二酸化炭素を有する前記ガスのうちいずれか１つ、を実質的に含む、ことを特徴とする請求項１乃至１４のいずれか１項に記載のプラズマ源（１）。
【請求項１６】
前記プラズマ発生器（１１）は、
ａ）直流又は、
ｂ）交流によって前記電離箱（１０）内の前記低温プラズマを励起する、ことを特徴とする請求項１乃至１５のいずれか１項に記載のプラズマ源（１）。
【請求項１７】
医療機器（３２；３５）、特に殺菌器や焼灼器（５）であって、
請求項１乃至１６のいずれか１項に記載のプラズマ源（１）を備える、
ことを特徴とする医療機器（３２；３５）。
【発明の詳細な説明】
【技術分野】
【０００１】
本発明は、プラズマ源に関し、特に、請求項１のプリアンブルによる、傷殺菌用のプラズマ源に関する。
【背景技術】
【０００２】
傷の生体内殺菌用に非平衡プラズマを使用することは、ｈｔｔｐ：／／ｗｗｗ．ｐｈｙｓ．ｔｕｅ．ｎｌ．上で発行された、Ｓｔｏｆｆｅｌｓ，Ｅ．氏、Ｓｔｏｆｆｅｌｓ，Ｗ．氏共著の“Ｔｈｅ  ｈｅａｌｉｎｇ  ｔｏｕｃｈ  ｏｆ  ａ  ｍｉｃｒｏ−ｐｌａｓｍａ”で扱われている。しかしながら、傷の生体内殺菌は、低温プラズマ及び低電磁照射を要するため、従来のプラズマ源は傷の生体内殺菌には適していない。
【０００３】
更に、国際公開第２００７／０３１２５０号公報では、上述の傷の生体内殺菌に適したプラズマ源を開示している。
【０００４】
高温プラズマ源は、例えば、米国特許出願公開第２００７／００２１７４８号公報、米国特許第５,５７３,６８２号公報、フランス国特許第１,３７６,２１６号公報、米国特許第６,１１４,６４９号公報、及び、米国特許第６,１２１,５６９号で開示されている。その他従来型のプラズマ源は、国際公開第２００５／０２６６５０号公報及び米国特許第３,６９２,４３１号公報に開示されている。しかしながら、上記プラズマ源は、低温プラズマを要する傷の生体内殺菌には適していない。
【先行技術文献】
【特許文献】
【０００５】
【特許文献１】国際公開第２００７／０３１２５０号公報
【特許文献２】米国特許出願公開第２００７／００２１７４８号公報
【特許文献３】米国特許第５,５７３,６８２号
【特許文献４】フランス国特許第１,３７６,２１６号公報
【特許文献５】米国特許第６,１１４,６４９号
【特許文献６】米国特許第６,１２１,５６９号
【特許文献５】国際公開第２００５／０２６６５０号公報
【特許文献６】米国特許第３,６９２,４３１号
【非特許文献】
【０００６】
【非特許文献１】Ｓｔｏｆｆｅｌｓ、Ｅ．氏、Ｓｔｏｆｆｅｌｓ、Ｗ．氏共著、「Ｔｈｅ  ｈｅａｌｉｎｇ  ｔｏｕｃｈ  ｏｆ  ａ  ｍｉｃｒｏ−ｐｌａｓｍａ」、ｈｔｔｐ：／／ｗｗｗ．ｐｈｙｓ．ｔｕｅ．ｎｌ．
【発明の概要】
【発明が解決しようとする課題】
【０００７】
従って、本発明の主な目的は、傷の生体内殺菌に適したプラズマ源におけるプラズマ発生を向上させることである。
【課題を解決するための手段】
【０００８】
本目的は、請求項１で画定される、本発明のプラズマ源により達成される。
【０００９】
本発明によれば、プラズマ源は、プラズマを内部発生させる電離箱を備える。更に、プラズマ源は、搬送ガス（例えば、周囲空気、アルゴン、又は窒素）のガス流を搬送する導管を備える。本発明のプラズマ源は、電離箱が導管に連結され、導管内のガス流がガス粒子（例えば、イオン、電子、原子等）を電離箱から運び去ることにより、電離箱内の圧力を減圧することを特徴とする。ガスの電離性は、一般に圧力の上昇とともに低下するため、電離箱内の減圧は、プラズマ発生の効率向上に有利に作用する。従って、低温度を有するガスの中でプラズマを発生させるのが、容易かつ効率的である。
【００１０】
本発明の好適な実施例によれば、ガス流を搬送する導管はノズルを備え、電離箱はノズル下流で導管に連結されている。本実施例において、電離箱内の減圧は、ノズル下流の導管内のガス流によって発生している。
【００１１】
ノズルは、ベンチュリノズル又はラバルノズルであることが好ましい。ラバルノズルを使用する場合、ノズルによって搬送ガス流内に衝撃波が発生し、電離箱を導管に連結する接続部における搬送ガス流の流速が加速され、結果として減圧となる。尚、本発明は上記種類のノズルに限定されないことに留意されたい。
【００１２】
尚、導管内のガス流が、ノズル上流で亜音速（Ｍ＜１）、ノズル下流で超音速（Ｍ＞１）、及び／又は、ノズル内で約（Ｍ≒１）の音速からなるように、ノズルを成形することが好ましい。導管に沿ったこのような流速分布は、周知のベルヌーイ法則によれば、導管内の超音速ガス流において所望の減圧をもたらす。
【００１３】
本発明の好適な実施例では、電離箱は環状であり、導管を包囲している。本実施例では、ノズル及び包囲後の電離箱は、同一断面において配置されていてもよい。あるいは、電離箱がノズルに対して軸方向に変位してもよい。好ましくは、電離箱は、ガス流を搬送する導管のノズルに対して流れ方向の軸方向に変位している。言い換えれば、電離箱はノズルより下流に配置されているのが好ましい。従って、電離箱と導管の接続部は、上述したように圧力が減圧された場合、ノズル下流に位置している。
【００１４】
本発明の他の実施例では、電離箱はカップ状で流れ方向に開口し、電離箱は導管内、特に、ノズル内に配設されている。本実施例では、カップ状の電離箱、並びに包囲後の導管（例えば、ノズル）が、同軸上に配置され、導管内のガス流が、ノズルの内壁と、カップ状の電離箱の外壁との間にある、環状の間隙に流入するのが好ましい。その後、環状間隙に流入したガス流は、電離箱を通過し、ガス粒子を電離箱内部から持ち去って、電離箱内の圧力を減圧する。
【００１５】
上述の実施例では、カップ状電離箱は、電離箱の下流端部でノズルの内壁に到達し、ノズルの内壁と、カップ状電離箱の外壁との間にある、上記環状の間隙を塞ぐのが好ましい。しかしながら、カップ状電離箱は、好ましくは、電離箱と、ノズルとの間の環状接点において軸方向に配置されたノッチを備えるため、ノズルの内壁と電離箱の外壁との間にある環状の間隙に流入したガス流が、上記ノッチを通じて流れることができる。
【００１６】
更に、カップ状電離箱は、好ましくは、軸方向に調整可能な軸位を有する。つまり、カップ状電離箱は、包囲後の導管に対して軸方向に調整可能である。
【００１７】
更に、本発明に係るプラズマ源は、好ましくは、電離箱内にプラズマを発生させる第１電極及び第２電極を備える。しかしながら、本発明は、プラズマ発生用電極を２つ備える電極構成に限定されない。本明細書に参照により組み込まれた国際公開第２００７／０３１２５０号公報に開示されているように、電極を２つ以上備える電極構成を利用することも可能である。
【００１８】
本発明の好適な実施例では、第１電極はノズルによって形成される一方、第２電極は導管の円錐部によって形成されるとともに、導管の円錐部は流れ方向に先細になり、上述したように、ノズルを包囲している。本発明の本実施例では、ノズルは、導管のじょうご状円錐部内に注いでいる。
【００１９】
本発明の他の実施例では、第１電極及び第２電極は、共に電離箱内に配設されている。このような電極構成は、カップ状電離箱を備えた上述の実施例において好適である。
【００２０】
本実施例の更に他の実施例では、第１電極は、導管、特にノズルによって形成される一方、第２電極は、電離箱内に単独で配設されている。本実施例では、放電は、一方の導管の内壁と、他方の電離箱内の第２電極との間で行われる。従って、一方の導管と他方の電離箱内の第２電極とでは、印加される電位が異なる。例えば、導管は、電気的に接地可能であるが、電離箱内の第２電極には、正又は負の高電圧が印加される。
【００２１】
電離箱内にプラズマが発生すると、通常、無線周波数（ＲＦ）放射又はマイクロ波を発生させるが、プラズマ源のＲＦ又はマイクロ波照射を低減すべく、これらを電離箱の壁、または包囲後の導管の壁によって遮断することができる。更に、ＲＦ又はマイクロ波照射を低減すべく、プラズマ源を導電性材料で形成されたハウジングに入れることも可能である。
【００２２】
更に、電離箱の内部からガス流を搬送する導管内へ至り、かつ導管の排気口を通じて直接放射路がないような様態、つまり、プラズマ源が、プラズマ発生による電磁照射、例えば、紫外線照射に実質的に生じないように、本発明によるプラズマ源を構成することもできる。
【００２３】
しかしながら、いくつかのプラズマ源の用途、例えば、傷の殺菌用又は表面除菌用の用途において、紫外線照射が望ましい場合もある。従って、電離箱内部からガス流を搬送する導管内へ至り、かつ導管の排気口を通じて直接放射路があり、プラズマ源がプラズマ発生による電磁照射を行うように、本発明によるプラズマ源を構成することもできる。
【００２４】
更に、電離箱は、少なくとも部分的に透明であり、電離箱内のプラズマ発生の目視管理を可能にする壁を備えていてもよい。窓を介して電離箱内のプラズマ発生を目視監視することができるように、例えば、電離箱の壁内、及び／又は、包囲後の導管の壁内に窓を配設することが可能である。従って、この窓は可視光線を透過し、紫外線を非透過にするのが好ましい。更に、窓を介してプラズマ発生を監視するため、光ダイオード、ＣＣＤカメラ（ＣＣＤ：電荷結合素子）など他のいかなる光センサーを使用することも可能である。
【００２５】
更に留意すべきは、電離箱は、真空計等と連結するための連結部を備えてもよい。
【００２６】
本発明の他の実施例では、プラズマ源は、電離箱内、及び／又は、導管内の電離箱の下流に、磁界を発生させる磁石を備え、磁界によりプラズマ発生を促進させる。これが当てはまるのは、プラズマの電荷担体（つまり、電子）の平均自由工程が、ローレンツ力によって磁界が電荷担体に相当な作用を及ぼすのに十分である場合である。
【００２７】
更に言及すべきは、搬送ガス流を搬送する導管は、導管内にガス流を導入するための吸気口と、混合プラズマが混ざったガス流をプラズマ処理の対象に供給するための排気口と、を備える。
【００２８】
更に、電離箱内の真空圧範囲は、好ましくは５ｍｂａｒから９００ｍｂａｒまで、より好ましくは４００ｍｂａｒから６００ｍｂａｒまでである。しかしながら、本発明は上記圧力範囲に限定されない。
【００２９】
更に留意すべきは、導管内に導入されたガス流は、周囲空気、窒素、希ガス（例えばアルゴン）、又は、添加物、特に二酸化炭素を有する上記ガスのうちのいずれかで構成されるのが好ましい。
【００３０】
更に、導管内のガス流量は、５０１／ｍｉｎ．，４０１／ｍｉｎ．，３０１／ｍｉｎ．，２０１／ｍｉｎ．，又は、１０１／ｍｉｎ．，未満である。しかしながら、本発明は、導管内ガス流の上記限度量に限定されない。
【００３１】
更に、本発明に係るプラズマ源は、電離箱内の電極を駆動するプラズマ発生器を備えるのが好ましい。本発明のある実施例において、プラズマ発生器は、電離箱内に直流（ＤＣ）励起を生成する。他の実施例において、プラズマ発生器は、電離箱内に交流（ＡＣ）励起、特に、無線周波数（ＲＦ）励起を生成する。
【００３２】
更に留意すべきは、本発明に係るプラズマ源は、低温の非熱的プラズマを発生させ、プラズマを傷口や他の温度に敏感な表面を処理すべく使用できることが好ましい。従って、プラズマ源が発生させたプラズマについては、プラズマ源の排気口において測定された温度が１００℃，７５℃，５０℃，４０℃，又は３０℃未満であることが好ましい。
【００３３】
導管内のガス流がガス粒子を電離箱から運び去ることにより電離箱内を減圧することが既に言及されている。本発明の好適な実施例において、異なる種類のガス粒子、例えば、ガス分子、ガス原子、ガスイオン、及び／又は、電子等が、電離箱から持ち去られる。
【００３４】
更に留意すべきは、本発明は、上述したプラズマ源を備える医療機器にも適合するものである。例えば、殺菌器や焼灼器が、本発明のプラズマ源を搭載していてもよい。
【００３５】
更に、本発明は、プラズマによって殺菌又は焼灼される対象の処理を目的とする、本発明のプラズマ源の非治療的用法にも適合するものである。
【００３６】
各対象の非破壊的除染は、例えば、地球帰還後の宇宙船の部品を除染する際など、宇宙航行術において重要である。従って、本発明に係るプラズマ源は、電子回路、電気又は電子部品、宇宙船の部分組立部品、又は宇宙服の表面を除染すべく使用することができる。
【図面の簡単な説明】
【００３７】
【図１】ラバルノズルとじょうご状対電極とを備えた、本発明に係るプラズマ源の断面図である。
【図２】ノズルとノズル内のカップ状電離箱とを備えた、本発明に係るプラズマ源の他の実施例の断面図である。
【図３】図３に係る実施例の変形例を示し、図中、ノズルは円錐状に広がった排気口を備える。
【図４】図３の変形例の断面図であり、図中、単一の電極が電離箱内に供給されている。
【図５】図４に係る実施例の変形例の断面図であり、図中、ノズルは円錐状に広がった排気口を備える。
【図６】図４に係る実施例の変形例の断面図であり、図中、磁石がノズルを包囲し、ノズル内に磁界を発生させる。
【図７】図６に係る実施例の変形例を示し、図中、ノズルは円錐状に広がった排気口を備える。
【図８】図６に係る実施例の変形例を示し、図中、プラズマ発生用の中空陰極を備える。
【図９】図８に係る実施例の変形例の断面図であり、ノズルは円錐状に広がった排気口を備える。
【図１０】プラズマ発生用の中空陰極の拡大断面図である。
【図１１】図２のＡ−Ａ線に沿った電離箱の断面図である。
【図１２】プラズマを用いた患者治療用の医療機器の概略図である。
【図１３】燃灼器としてプラズマ源を使用している外科医を示す概略図である。
【図１４】図１のプラズマ源と同様であるが、電極構成が異なるプラズマ源を示す概略図である。
【図１５】図１４に係る実施例の変形例を示し、図中、プラズマ発生用の２つの直流源を備える。
【図１６】図１４に係る実施例の変形例を示し、図中、非安定のパルスプラズマ励起を含む。
【図１７】図１５のプラズマ源と同様であるが、追加の磁石を有するプラズマ源を示す概略図である。
【図１８】図１７に係る実施例の変形例を示し、図中、プラズマ発生用の２つの直流源を備える。
【図１９】図１７に係る実施例の変形例を示し、図中、非安定のパルスプラズマ励起を含む。
【発明を実施するための形態】
【００３８】
本発明、並びにその特徴及び利点は、添付図面を参照した以下の詳細な記述からより明らかになる。
【００３９】
図１は、本発明に係るプラズマ源１の実施例の断面図であり、図中、プラズマ源１は、殺菌対象２、例えば傷口等のプラズマ処理のために使用できる。
【００４０】
プラズマ源１はガス流を搬送する導管を備え、該導管は、変形ラバルノズル３と、コンジットパイプ４とで構成されている。
【００４１】
ラバルノズル３は上流に配置され、搬送ガス流をプラズマ源１内に導入するための吸気口５を備える。更に、ラバルノズル３は、ラバルノズル３内の搬送ガス流の速度が、吸気口５において亜音速（M＜１）、ラバルノズル３の排気口７において超音速（M＞１）、及び、ラバルノズル３内のボトルネックにおいて約（Ｍ≒１）の音速から成るように成形された内壁６を備える。従って、ラバルノズル３の排気口７においてガス圧が減圧されることによって、後に詳述されるプラズマ発生が促進される。
【００４２】
コンジットパイプ４は、ラバルノズル３の背後下流に配置され、じょうご状の上流部と、円筒状の下流部と、対象２の表面にプラズマをあてるための排気口８とからなる。
【００４３】
更に留意すべきは、ラバルノズル３と、コンジットパイプ４との間には軸方向変位があるため、ラバルノズル３とコンジットパイプ４との間に間隙があり、間隙内にガス噴射を円滑に流入させて真空状態を発生させることである。
【００４４】
更に、ラバルノズル３とコンジットパイプ４はハウジング９に収容されることより、内部でのラバルノズル３と、コンジットパイプ４との間で電離箱１０の輪郭が画定されるとともに、外部でのハウジング９の壁の輪郭が画定される。
【００４５】
ラバルノズル３は、ハウジング９の雌ネジによって留められた雄ネジを備える。
【００４６】
更に、コンジットパイプ４の円筒状の下流部は、ハウジング９の雌ネジによって留められた雄ネジを備える。
【００４７】
本実施例において、ラバルノズル３及びコンジットパイプ４は、共に導電性材料から構成され、ハウジング９は非導電性材料から構成されている。
【００４８】
プラズマ源１はプラズマ発生器１１を更に備え、プラズマ発生器１１は、プラズマ発生用の励起機構に応じて交流電源、直流電源、又は無線周波数電源であってもよい。プラズマ発生器１１はラバルノズル３とコンジットパイプ４とに接続され、図中矢印によって示されているように、ラバルノズル３の下流端と、コンジットパイプ４の上流端との間の電離箱内で放電が行われる。
【００４９】
ラバルノズル３の排気口７における超音速（M＞１）の搬送ガス流によってラバルノズル３の排気口７におけるガス圧が減圧されることは既に上述されている。従って、搬送ガス流が、ガス粒子（例えば、イオン、電子、分子等）を電離箱１０から運び去ることによって電離箱内を減圧し、プラズマ発生の効率を向上させる。
【００５０】
更にハウジング９は、真空計等と連結するための連結部１２を備える。
【００５１】
図２は、本発明に係るプラズマ源１３の他の実施例の断面図を示す。
【００５２】
プラズマ源１３は、ラバルノズル１４と、ラバルノズル１４内に同軸上に配設されたカップ状の電離箱１５とを備える。
【００５３】
更にプラズマ源１３は、ラバルノズル１４の上方前面に留められたカバープレート１６を備える。カバープレート１６には、プラズマ発生器に接続可能な高電圧接点１７，１８用のダクトがある。更に、カバープレート１６は、電離箱１５を支えるロッド１９用のダクトを備える。ロッド１９はネジによって固定され、ラバルノズル１４内で電離箱１５の軸位を調整するために矢印方向で軸調整することができる。
【００５４】
更にラバルノズル１４は、搬送ガス流をラバルノズル１４内に導入するための吸気口２０を備える。
【００５５】
搬送ガスは、電離箱１５の外壁と、ラバルノズル１４の内壁との間にある環状間隙に流入し、当該電離箱がラバルノズル１４の内壁に接触する、電離箱１５の下流端に到達する。
【００５６】
従って、電離箱１５はノッチ２１〜２４（図１１参照）を備え、ノッチ２１〜２４は電離箱１５の下流端で電離箱の外壁１５内に配置されるため、搬送ガスが、ノッチ２１〜２４を通じて流れることができる。
【００５７】
更に、電離箱１５は、高電圧接点１７，１８に接続された２つの電極２５，２６を備えるため、矢印に示されるように、電極２５，２６の間に励起が生じる。
【００５８】
更に留意すべきは、ノッチ２１〜２４に流入する搬送ガスは、電離箱１５の下流端で減圧を生じさせ、更に搬送ガス流によってガス粒子が電離箱１５内から持ち去られることによって、電離箱１５内のガス圧を減圧させると同時に、プラズマ効率が向上する。
【００５９】
更に、プラズマ源１３は、対象２の表面にプラズマを印加するための排気口２７を下流端に備える。
【００６０】
図３は、ラバルノズル１４の代わりにコンジットパイプ１４’を備えるプラズマ源１３の変形例を示す。コンジットパイプ１４’は、円筒状の上流部と、円錐状に広がる下流部と、先細りの中間部と、を備える。
【００６１】
図４は、図２の実施例の変形例を示す。図中、電離箱１５内にあるのは、単一の電極２５だけであり、ラバルノズル１４が、対電極として機能するため、導電性材料で形成されていることを特徴とする。
【００６２】
更に留意すべきは、プラズマは電離箱１５内で発生する。
【００６３】
図５は、図４に係る実施例の変形例を示す。図中、ラバルノズル１４の代わりに、図３に示すようにコンジットパイプ１４’が用いられていることを特徴とする。
【００６４】
図６は、図５に係る実施例の変形例を示す。図中、ラバルノズル１４のボトルネック内において同軸上に配列された磁界を生じさせ、プラズマ発生を促進させる磁石２８がラバルノズル１４を包囲していることを特徴とする。
【００６５】
図７は、図６に係る実施例の変形例を示す。図中、ラバルノズル１４の代わりに、上述されたようにコンジットパイプ１４’が用いられていることを特徴とする。
【００６６】
図８は、図６に係る実施例の変形例を示す。図中、単一の中空陰極２９が電離箱１５内に配設されることによって、プラズマ発生が促進されていることを特徴とする。
【００６７】
図９は、図８の実施例の変形例を示す。図中、排気口は、円錐状に広がっていることを特徴とする。
【００６８】
図１０は、中空陰極を形成する電離箱３０の他の実施例の断面図である。図中、電離箱３０は、導電性材料で構成され、絶縁性ハウジング３１を備える。
【００６９】
図１１は、上述した図面に図示されているように、Ａ−Ａ線に沿った電離箱１５の断面図である。図中、電離箱１５は、その下流端にノッチ２１〜２４を備えることが示されている。
【００７０】
図１２は、非熱的プラズマを用いた患者３３の治療用の医療機器３２を示す。本実施例では、患者３３の周りに配置されたプラズマ源が数個あり、様々な方角から患者３３へ、プラズマを印加することができる。
【００７１】
更に、図１３は、手術部位３６における組織を焼灼するための焼灼器を操作する外科医３４を示す。本実施例では、上述のように、焼灼器３５はプラズマ源を備える。
【００７２】
図１４は、図１に係る実施例の変形例を示す。説明については、図１に関連する上述の記載を参照されたい。
【００７３】
しかしながら、ラバルノズル３とコンジットパイプ４はプラズマ発生器１１に連結していない。代わりに、電離箱１０内には、プラズマ励起用の電極３７，３８が２つある。
【００７４】
電極３７，３８は、放射状に配列されるとともに、ラバルノズル３と、コンジットパイプ４との間のガス流に対して垂直な平面上に配置されている。
【００７５】
電極３７は接地され、電極３８は交流／直流電源であるプラズマ発生器１１に連結されている。
【００７６】
図１５は、図１４に係る実施例の変形例を示す。説明については、図１４に関連する上述の記載を参照されたい。
【００７７】
しかしながら、電極３７，３８に連結される、直流電源であるプラズマ発生器１１が２つある。
【００７８】
図１６は、図１４に係る実施例の変形例を示す。説明については、図１４に関連する上述の記載を参照されたい。
【００７９】
しかしながら、非安定のパルスプラズマ励起がある。従って、直流電源であるプラズマ発生器１１が、Ｒｖ１≒１ＭΩ，Ｒｖ２≒１Ω―１００ｋΩの２つのレジスタと、接地されたＣ＝１ｎＦのコンデンサとを介して電極３８に接続されている。プラズマ発生器１１は、約Ｕ≒６ｋＶの高電圧を発生させ、τＣＨＡＲＧＥ≒１ｎｓ−１ｍｓの充電時と、ｆＤＩＳＣＨＡＲＧＥ≒１ｋＨｚの放電周波数と、τＰＵＬＳＥ≒１ｎｓ−１０ｍｓのパルス持続時間とをもたらす。
【００８０】
図１７は、図１４に係る実施例の変形例を示す。説明については、図１４に関連する上述の記載を参照されたい。
【００８１】
本実施例の格別な特徴の１つとして、電極３７，３８に組み込まれた永久磁石３９，４０があることが挙げられる。永久磁石３９，４０は、電離箱１０内に磁界を発生させ、プラズマ発生を促進させる。
【００８２】
図１８は、図１７に係る実施例の変形例を示す。説明については、図１７に関連する上述の記載を参照されたい。
【００８３】
しかしながら、電極３７，３８に連結した、直流電源であるプラズマ発生器１１が２つある。
【００８４】
最後に、図１９は、図１７に係る実施例の変形例を示す。説明については、図１７に関連する上述の記載を参照されたい。
【００８５】
しかしながら、非安定のパルスプラズマ励起がある。従って、直流電源であるプラズマ発生器１１は、２つのレジスタＲｖ１，Ｒｖ２と、接地されたコンデンサＣと、を介して電極３８に接続されている。
【００８６】
以上、本発明は、各部の特定の構成、並びに特徴等に関連して記述されてきたが、これらは、各特徴部分の考えうる構成全てを意図するものではなく、当業者が他の多くの変形例や変更例を確認できることは明らかである。
【符号の説明】
【００８７】
１  プラズマ源
２  対象
３  ラバルノズル
４  コンジットパイプ
５  吸気口
６  内壁
７  排気口
８  排気口
９  ハウジング
１０  電離箱
１１  プラズマ発生器
１２  連結部
１３  プラズマ源
１４  ラバルノズル
１４’  コンジットパイプ
１５  電離箱
１６  カバープレート
１７，１８  高電圧接点
１９  ロッド
２０  吸気口
２１〜２４  ノッチ
２５，２６  電極
２７  排気口
２８  磁石
２９  中空陰極
３０  電離箱
３１  ハウジング
３２  医療機器
３３  患者
３４  外科医
３５  焼灼器
３６  手術部位
３７  電極
３８  電極
３９  永久磁石
４０  永久磁石
【図１】
0005663819.tif 000002
【図２】
0005663819.tif 000003
【図３】
0005663819.tif 000004
【図４】
0005663819.tif 000005
【図５】
0005663819.tif 000006
【図６】
0005663819.tif 000007
【図７】
0005663819.tif 000008
【図８】
0005663819.tif 000009
【図９】
0005663819.tif 000010
【図１０】
0005663819.tif 000011
【図１１】
0005663819.tif 000012
【図１２】
0005663819.tif 000013
【図１３】
0005663819.tif 000014
【図１４】
0005663819.tif 000015
【図１５】
0005663819.tif 000016
【図１６】
0005663819.tif 000017
【図１７】
0005663819.tif 000018
【図１８】
0005663819.tif 000019
【図１９】
0005663819.tif 000020